(57)【要約】【課題】容器本体の口部に蓋体を螺合させることなく、容器本体の口部を簡単に開閉することができる飲料容器を提供する。【解決手段】口部２ａ及びその下側の内周面に内周段部２ｂを有する容器本体２と、容器本体２の口部２ａを閉塞する蓋体３とからなり、蓋体３は、容器本体２の口部２ａに入り込む内筒部１３を有する外蓋１０と、外蓋１０に回転可能に支持される、外蓋１０の内筒部１３に外嵌めされる内筒部２１を有する内蓋２０と、内蓋２０の内筒部２１に着脱自在に嵌着される弾性変形可能な略円筒状のパッキン３０と、内蓋２０の内筒部２１に回り止めされた状態で昇降自在に支持される昇降部材４０と、内蓋２０に対して外蓋１０が９５度回転することによって昇降部材４０を昇降させる昇降手段とを備え、外蓋１０を回転させて昇降部材４０を上昇させることで昇降部材４０がパッキン３０の下端部を押し上げて容器本体２の内周段部２ｂに液密状態で圧着させる。【選択図】        図１１
0003225434.tif 000002
【実用新案登録請求の範囲】
【請求項１】
口部を有する容器本体と、前記容器本体の口部を閉塞する蓋体とを備えた飲料容器であって、
前記容器本体は、その口部の下側の内周面に、口部側が小径で底部側が大径の内周段部を有し、
前記蓋体は、
前記容器本体の口部に入り込む円筒部を有する外蓋と、
前記外蓋に回転可能に支持される、前記外蓋の円筒部に外嵌めされる円筒部を有する内蓋と、
下部が前記内蓋の円筒部から下方側に突出した状態で前記内蓋の円筒部に着脱自在に嵌着される、下端部が径方向内側に張り出した弾性変形可能な略円筒状のパッキンと、
前記内蓋の円筒部に回り止めされた状態で昇降自在に支持される、下端部に前記パッキンの下端部が当接する外フランジ部を有する昇降部材と、
前記内蓋に対して前記外蓋が回転することによって前記昇降部材を昇降させる昇降手段と
を備え、
前記昇降手段は、前記内蓋に対する前記外蓋の開閉回転角度が９０度〜１２０度の範囲内に設定されており、
前記内蓋の円筒部に嵌着された前記パッキン及び円筒部に支持された前記昇降部材を前記容器本体の口部に嵌入した状態で、前記外蓋を回転させて前記昇降部材を上昇させることにより、前記昇降部材の外フランジ部が前記パッキンの下端部を押し上げ、前記パッキンの下部を弾性変形させて前記容器本体の内周段部に液密状態で圧着させることを特徴とする飲料容器。
【請求項２】
前記昇降手段は、前記外蓋の円筒部の内周面に形成された突起と、前記昇降部材の外周面に形成された、前記突起に掛止される段部とを有し、
前記段部は、周方向の一端から他端に向かって上下方向に傾斜している請求項１に記載の飲料容器。
【請求項３】
前記蓋体は、前記パッキンの下部が前記容器本体の内周段部に液密状態で圧着した状態で前記内蓋に対する前記外蓋の回転を規制する、その規制を解除可能なロック手段を備えている請求項１または２に記載の飲料容器。
【請求項４】
前記昇降部材は、前記内蓋に着脱自在に支持されている請求項１、２または３に記載の飲料容器。
【請求項５】
前記パッキンは、上端部に径方向外側に張り出す張出部を有し、その張出部が前記容器本体の口部の上端部と前記内蓋との間に液密状態で挟み込まれるようになっている請求項１、２、３または４に記載の飲料容器。
【考案の詳細な説明】
【技術分野】
【０００１】
この考案は、携帯用魔法瓶や水筒等の飲料容器に関する。
【背景技術】
【０００２】
携帯用の飲料容器としては、例えば、特許文献１に開示されたものがある。この飲料容器は、図１７（ａ）、（ｂ）に示すように、飲み口６２ａを有する有底筒体６２が外環状パッキン６３を介して液密状態で口部６１ａに装着された容器本体６１と、有底筒体６２に嵌合可能な突出部６５に内環状パッキン６６が嵌着された蓋体６４とから構成されており、蓋体６４に形成された雌ねじ６４ａを容器本体６１の口部外周面に形成された雄ねじ６１ｂにねじ込むことで、内環状パッキン６６が有底筒体６２の内周面に液密状態で接触し、有底筒体６２の飲み口６２ａが閉塞されるようになっている。
【先行技術文献】
【特許文献】
【０００３】
【特許文献１】実用新案登録第３１７１８０１号公報
【考案の概要】
【考案が解決しようとする課題】
【０００４】
上述したように、特許文献１に示す飲料容器は、蓋体６４を容器本体６１の口部６１ａに螺合することにより、有底筒体６２の飲み口６２ａを閉塞するようになっているが、有底筒体６２の飲み口６２ａを完全に閉塞するためには、通常、蓋体６４を約１回転、即ち、約３６０度回転する必要があるので、こういった回転操作による蓋体６４の開閉には手間がかかると共に、蓋体６４の開閉時に蓋体６４の内環状パッキン６６が有底筒体６２の内周面を摺動するので、内環状パッキン６６が摩耗し易く、シール性能が低下し易いといった問題がある。
【０００５】
また、蓋体を容器本体の口部に螺合するタイプの飲料容器は、蓋体や容器本体のねじ部分に汚れがたまりやすく、洗浄に手間がかかるといった問題もある。
【０００６】
そこで、この考案の課題は、容器本体の口部に蓋体を螺合させることなく、容器本体の口部を簡単に開閉することができる飲料容器を提供することにある。
【課題を解決するための手段】
【０００７】
上記の課題を解決するため、請求項１に係る考案は、口部を有する容器本体と、前記容器本体の口部を閉塞する蓋体とを備えた飲料容器であって、前記容器本体は、その口部の下側の内周面に、口部側が小径で底部側が大径の内周段部を有し、前記蓋体は、前記容器本体の口部に入り込む円筒部を有する外蓋と、前記外蓋に回転可能に支持される、前記外蓋の円筒部に外嵌めされる円筒部を有する内蓋と、下部が前記内蓋の円筒部から下方側に突出した状態で前記内蓋の円筒部に着脱自在に嵌着される、下端部が径方向内側に張り出した弾性変形可能な略円筒状のパッキンと、前記内蓋の円筒部に回り止めされた状態で昇降自在に支持される、下端部に前記パッキンの下端部が当接する外フランジ部を有する昇降部材と、前記内蓋に対して前記外蓋が回転することによって前記昇降部材を昇降させる昇降手段とを備え、前記昇降手段は、前記内蓋に対する前記外蓋の開閉回転角度が９０度〜１２０度の範囲内に設定されており、前記内蓋の円筒部に嵌着された前記パッキン及び円筒部に支持された前記昇降部材を前記容器本体の口部に嵌入した状態で、前記外蓋を回転させて前記昇降部材を上昇させることにより、前記昇降部材の外フランジ部が前記パッキンの下端部を押し上げ、前記パッキンの下部を弾性変形させて前記容器本体の内周段部に液密状態で圧着させることを特徴とする飲料容器を提供するものである。
【０００８】
また、請求項２に係る考案は、請求項１に係る考案の飲料容器において、前記昇降手段は、前記外蓋の円筒部の内周面に形成された突起と、前記昇降部材の外周面に形成された、前記突起に掛止される段部とを有し、前記段部は、周方向の一端から他端に向かって上下方向に傾斜していることを特徴としている。
【０００９】
また、請求項３に係る考案は、請求項１または２に係る考案の飲料容器において、前記蓋体は、前記パッキンの下部が前記容器本体の内周段部に液密状態で圧着した状態で前記内蓋に対する前記外蓋の回転を規制する、その規制を解除可能なロック手段を備えていることを特徴としている。
【００１０】
また、請求項４に係る考案は、請求項１、２または３に係る考案の飲料容器において、前記昇降部材は、前記内蓋に着脱自在に支持されていることを特徴としている。
【００１１】
また、請求項５に係る考案は、請求項１、２、３または４に係る考案の飲料容器において、前記パッキンは、上端部に径方向外側に張り出す張出部を有し、その張出部が前記容器本体の口部の上端部と前記内蓋との間に液密状態で挟み込まれるようになっていることを特徴としている。
【考案の効果】
【００１２】
以上のように、請求項１に係る考案の飲料容器は、内蓋の円筒部に嵌着されたパッキン及び円筒部に支持された昇降部材を容器本体の口部に嵌入した状態で、外蓋を９０度〜１２０度回転させるだけで、昇降部材の外フランジ部がパッキンの下端部を押し上げ、パッキンの下部を弾性変形させて容器本体の内周段部に液密状態で圧着させることで容器本体の口部を閉塞するので、蓋体を約３６０度回転させなければ、容器本体の口部を完全に閉塞することができない螺合タイプの飲料容器と比べて、蓋体の開閉に要する回転操作角度が１／３〜１／４となり、蓋体の開閉操作に手間がかからないと共に、蓋体の開閉時にパッキンが容器本体の内周段部を摺動しないので、パッキンが摩耗し難く、シール性能が低下し難いという効果が得られる。
【００１３】
また、蓋体や容器本体がねじ部分を有していないので、汚れがたまり難く、洗浄に手間がかからないという効果も得られる。
【００１４】
また、請求項２に係る発明の飲料容器は、内蓋の円筒部に回り止めされた状態で昇降自在に支持される昇降部材の外周面に形成された、周方向の一端から他端に向かって上下方向に傾斜している段部が外蓋の円筒部の内周面に形成された突起に掛止される昇降手段を採用しているので、内蓋に対して外蓋を回転させると、段部の高低差分だけ内蓋に対して昇降部材が昇降し、簡単かつコンパクトな構成で昇降部材を昇降させることができる。
【００１５】
また、請求項３に係る発明の飲料容器は、パッキンの下部が容器本体の内周段部に液密状態で圧着した状態で内蓋に対する外蓋の回転を規制する、その規制を解除可能なロック手段を備えているので、ロック状態では、内蓋に対して昇降部材が降下すること、即ち、パッキンによる容器本体の内周段部の液密状態が解除されることがなく、容器本体に充填された飲料の漏れ出しを防止することができる。
【００１６】
また、請求項４に係る発明の飲料容器は、昇降部材が内蓋に着脱自在に支持されているので、内蓋から昇降部材を取り外した状態で洗浄することができ、蓋体の洗浄作業性が向上する。
【００１７】
また、請求項５に係る発明の飲料容器は、パッキンが、上端部に径方向外側に張り出す張出部を有し、その張出部が容器本体の口部の上端部と内蓋との間に液密状態で挟み込まれるようになっているので、蓋体による閉塞状態では、容器本体の内周段部と容器本体の口部の上端部の２箇所で液密状態となり、密封性能が向上し、容器本体に充填された飲料の漏れ出しをより確実に防止することができる。
【図面の簡単な説明】
【００１８】
【図１】（ａ）はこの考案に係る飲料容器の一実施形態を示す斜視図、（ｂ）は同上の飲料容器の蓋体を外した状態を示す斜視図である。
【図２】同上の飲料容器を構成している容器本体を示す縦断面図である。
【図３】同上の飲料容器を構成している蓋体を示す分解斜視図である。
【図４】同上の蓋体を構成している外蓋を下方側から視た斜視図である。
【図５】同上の蓋体を構成している内蓋を下方側から視た斜視図である。
【図６】（ａ）は同上の蓋体を構成している昇降部材を示す斜視図、（ｂ）は同上の昇降部材を示す平面図である。
【図７】同上の外蓋を構成しているロック解除ボタンを底面前方側から視た斜視図、（ｂ）はロック解除ボタンを底面後方側から視た斜視図である。
【図８】同上の蓋体を示す縦断面図である。
【図９】同上の蓋体を示す分解断面図である。
【図１０】（ａ）は開状態の蓋体におけるロック解除ボタンと内蓋の係合環部との関係を示す平面図、（ｂ）は閉状態の蓋体におけるロック解除ボタンと内蓋の係合環部との関係を示す平面図、（ｃ）は昇降部材の着脱時におけるロック解除ボタンと内蓋の係合環部との関係を示す平面図である。
【図１１】（ａ）は同上の飲料容器の容器本体に蓋体を挿入した状態を示す部分断面図、（ｂ）は同上の飲料容器の蓋を閉じた状態を示す部分断面図である。
【図１２】同上の蓋体の開状態を示す一部切欠斜視図である。
【図１３】同上の蓋体の閉状態を示す一部切欠斜視図である。
【図１４】図１２に示す開状態の蓋体において昇降部材を内蓋内に強制的に押し上げた状態を示す一部切欠斜視図である。
【図１５】図１４に示す状態の蓋体において外蓋を内蓋に対して反閉方向に３５度回動させた状態を示す一部切欠斜視図である。
【図１６】図１５に示す状態の蓋体において昇降部材を内蓋から引き抜いた状態を示す一部切欠斜視図である。
【図１７】（ａ）は螺合タイプの飲料容器の蓋を閉じた状態を示す部分断面図、（ｂ）は同上の飲料容器の蓋を開けた状態を示す部分断面図である。
【考案を実施するための形態】
【００１９】
以下、実施の形態について図面を参照して説明する。図１（ａ）、（ｂ）に示すように、この飲料容器１は、口部を有する容器本体２と、この容器本体２の口部２ａを閉塞する蓋体３とを備えている。
【００２０】
前記容器本体２は、図２に示すように、有底円筒状で、外壁と内壁との間が略真空に保持された真空二重壁構造を有する金属容器であり、その口部２ａの下側の内周面に、口部側が小径で底部側が大径の内周段部２ｂを有している。
【００２１】
前記蓋体３は、図３に示すように、外蓋１０と、外蓋１０に回転可能に組み付けられる内蓋２０と、内蓋２０に着脱自在に嵌着される弾性変形可能な略円筒状のパッキン３０と、内蓋２０に回り止めされた状態で昇降自在に支持される昇降部材４０と、内蓋２０に対して外蓋１０が回転することによって昇降部材４０を昇降させる昇降手段とを備えており、外蓋１０及び内蓋２０は、閉状態で内蓋２０に対する外蓋１０の回転を規制する、その規制を解除可能なロック手段５０を備えている。
【００２２】
前記外蓋１０は、図３、図４、図８及び図９に示すように、円盤状の天板１１と、この天板１１の周縁部から垂下する円筒状の外筒部１２と、外筒部１２の内側において天板１１の下面から垂下する円筒状の内筒部１３と、上述したロック手段５０を構成するロック解除ボタン５１及びコイルバネ５４を収容するボタン収容部１４と、外筒部１２の内周面における下部に全周に渡って形成された薄肉部１５及びその薄肉部１５に部分的に形成された周方向に延びる対向一対の凸条１６と、内筒部１３の内周面における下端部に形成された対向一対の凸部１７と、外筒部１２の上部内周面から径方向内側に張り出す係止片１８とを備えている。
【００２３】
前記内蓋２０は、図３、図５、図８及び図９に示すように、外蓋１０の内筒部１３に遊嵌される内筒部２１と、前記内筒部２１の上端から径方向外側に張り出す外フランジ部２２と、前記外フランジ部２２の外周縁から垂下する、外蓋１０の外筒部１２に遊嵌される外筒部２３と、前記外フランジ部２２から立ち上がる、ロック手段５０を構成する係合環部２４と、外蓋１０の係止片１８が当接することで外蓋１０の最大回転角度を１３０度に規制する、係合環部２４の外周面から径方向外側に張り出す一対の規制片２５ａ、２５ｂと、内筒部２１の内周面における下部に形成された対向一対の縦溝２６と、内筒部２１の外周面に形成された、外フランジ部２２の下面から縦方向に延びる一対の凸条２７と、外筒部２３の外周面における下部に全周に渡って形成された凸条２８とを備えており、この凸条２８が、外蓋１０の外筒部１２における対向一対の凸条１６の上側の薄肉部に嵌合することで、内蓋２０が外蓋１０に回転可能に組み付けられた状態で保持されている。
【００２４】
前記パッキン３０は、図３、図８及び図９に示すように、外周面側が外側に張り出すように全周に渡って上半部に形成された全周厚肉部３１ａ及び全周厚肉部３１ａの下方側に部分的に連設された対向一対の部分厚肉部３１ｂと、全周厚肉部３１ａからさらに径方向外側に張り出すように上端部に形成された外フランジ部３２と、下部が全周に渡って径方向外側に膨出した膨出部３３と、下端部が全周に渡って径方向内側に張り出した内フランジ部３４と、内周面に形成された、上端部から部分厚肉部３１ｂに至る、内蓋２０の対向一対の凸条２７が嵌合する対向一対の縦溝３５と、内フランジ部３４に形成された対向一対の切欠部（図示せず）とを備えており、内蓋２０の一対の凸条２７を縦溝３５に嵌合させながら、外フランジ部３２の上面が内蓋２０の外フランジ部２２の下面に当接するまで内蓋２０の内筒部２１に嵌入すると、内フランジ部３４に形成された切欠部が、内蓋２０の内筒部２１の内周面に形成された対向一対の縦溝２６と平面的に一致するようになっている。
【００２５】
前記昇降部材４０は、図３、図６（ａ）、（ｂ）、図８及び図９に示すように、内蓋２０の内筒部２１に嵌入可能な有底円筒部４１と、有底円筒部４１の下半部の外周面に形成された、パッキン３０の内フランジ部３４に形成された対向一対の切欠部及び内蓋２０の対向一対の縦溝２６に遊嵌する一対の凸条４２と、有底円筒部４１の上半部の外周面を部分的に薄肉にすることによって形成された、上から視た状態で時計回りの方向に下り傾斜となった、上側が大径で下側が小径の一対の傾斜段部４３と、有底円筒部４１の上半部の外周面における各傾斜段部４３の高位側から凸条４２に対応する位置に至る領域に形成された、上下方向に延びる、外蓋１０の対向一対の凸部１７が通過可能な案内路４４と、有底円筒部４１の下端部から径方向外側に張り出す外フランジ部４５とを備えており、傾斜段部４３を形成している薄肉部は、その下部が傾斜段部４３の高位側の端部を超えて上から視た状態で反時計回りの方向に張り出していると共に、案内路４４は、その下部が幅狭で傾斜段部４３を形成している薄肉部の下部と極僅かな段差を介して繋がっている。
【００２６】
従って、外蓋１０の凸部１７と昇降部材４０の案内路４４とが対応する位置で、昇降部材４０を内蓋２０の内筒部２１に嵌入すると、外蓋１０の凸部１７が案内路４４の幅狭の下部まで進入するので、ここで、外蓋１０を内蓋２０に対して上から視た状態で時計回りの方向に回転させると、外蓋１０の凸部１７が傾斜段部４３の下側の薄肉部に進入し、傾斜段部４３が外蓋１０の凸部１７に掛止されるので、外蓋１０の凸部１７によって吊り下げられた状態で昇降部材４０が内蓋２０の内筒部２１内に保持される。
【００２７】
また、パッキン３０を内蓋２０の内筒部２１に装着した状態で、昇降部材４０を内蓋２０の内筒部２１に取り付けると、外フランジ部４５の上面にパッキン３０の下端部である内フランジ部３４が当接するので、パッキン３０の下端部を押し上げて膨出部３３を弾性変形させる外力が働かない限り、昇降部材４０が持ち上がることはなく、常時、傾斜段部４３が外蓋１０の凸部１７に掛止された状態が維持される。
【００２８】
前記ロック手段５０は、図３及び図７〜図１０に示すように、外蓋１０のボタン収容部１４に押し込み可能に収容されるロック解除ボタン５１と、このロック解除ボタン５１と共にボタン収容部１４に収容され、ロック解除ボタン５１を外蓋１０の径方向外側に付勢するコイルバネ５４と、内蓋２０の係合環部２４とから構成されている。
【００２９】
前記ロック解除ボタン５１は、内蓋２０の係合環部２４を跨ぐように外蓋１０のボタン収容部１４に収容されており、係合環部２４の外側に位置し、外蓋１０の開口部に露出する押込操作部５２と、係合環部２４の内側に位置し、コイルバネ５４の付勢力によって係合環部２４の内周面に当接する係合突起５３とを有している。
【００３０】
前記係合環部２４は、図３及び図１０（ａ）〜（ｃ）に示すように、ロック解除ボタン５１の係合突起５３が係合することで、内蓋２０に対する外蓋１０の一方向または双方向の回転を規制する係合凹部２４ａ、２４ｂ、２４ｃを有しており、係合凹部２４ａは開蓋位置αに配置され、内蓋２０に対する外蓋１０の閉方向の回転を許容するが、逆方向の回転を阻止し、係合凹部２４ｂは閉蓋位置βに、係合凹部２４ｃは昇降部材４０の着脱位置γにそれぞれ配置され、正逆双方向の回転を阻止するようになっている。なお、開蓋位置αに配置された係合凹部２４ａと閉蓋位置βに配置された係合凹部２４ｂのなす角度は９５度、開蓋位置αに配置された係合凹部２４ａと昇降部材４０の着脱位置γに配置された係合凹部２４ｃのなす角度は３５度に設定されている。
【００３１】
また、ロック解除ボタン５１の係合突起５３が係合凹部２４ａ、２４ｂ、２４ｃに係合した状態、即ち、内蓋２０に対する外蓋１０の一方向または双方向の回転が規制された状態で、ロック解除ボタン５１を外蓋１０の径方向内側に押し込むと、それぞれの係合凹部２４ａ、２４ｂ、２４ｃに対する係合突起５３の係合が解除され、内蓋２０に対する外蓋１０の回転規制が解除されるようになっている。
【００３２】
ただし、係合突起５３が係合凹部２４ｂに係合した状態のロック解除ボタン５１を押し込んで係合凹部２４ｂに対する係合突起５３の係合を解除して、外蓋１０を上から視た状態で時計回りの方向に回転させようとしても、外蓋１０の係止片１８が内蓋２０の規制片２５ａに当接することでその方向への回転は規制され、係合突起５３が係合凹部２４ｃに係合した状態のロック解除ボタン５１を押し込んで係合凹部２４ｃに対する係合突起５３の係合を解除して、外蓋１０を上から視た状態で反時計回りの方向に回転させようとしても、外蓋１０の係止片１８が内蓋２０の規制片２５ｂに当接することでその方向への回転は規制される。
【００３３】
前記昇降手段は、外蓋１０の内筒部１３に形成された対向一対の凸部１７と、この対向一対の凸部１７に掛止される、昇降部材４０の有底円筒部４１に形成された一対の傾斜段部４３とによって構成されており、昇降部材４０が内蓋２０に回り止めされた状態で傾斜段部４３が外蓋１０の凸部１７に掛止されているので、外蓋１０を内蓋２０に対して上から視た状態で時計回りの方向、即ち、傾斜段部４３の低位側に回転させると昇降部材４０が上昇し、逆方向、即ち、傾斜段部４３の高位側に回転させると降下するようになっている。
【００３４】
なお、ロック解除ボタン５１の係合突起５３が係合凹部２４ａに係合した状態では、傾斜段部４３の最高位部分が外蓋１０の凸部１７に掛止されており、昇降部材４０が最も降下した状態となっているが、ロック解除ボタン５１の係合突起５３が係合凹部２４ｂに係合した状態では、傾斜段部４３の最低位部分が外蓋１０の凸部１７に掛止されており、昇降部材４０が最も上昇した状態となっている。
【００３５】
以上のように構成された飲料容器１において、容器本体２の口部２ａを蓋体３によって閉塞する際は、図１０（ａ）に示すように、ロック解除ボタン５１の係合突起５３が係合凹部２４ａに係合している状態、即ち、図１２に示すように、昇降部材４０が最も降下した状態の蓋体３のパッキン３０及び昇降部材４０を、図１１（ａ）に示すように、パッキン３０の外フランジ部３２が口部２ａの上端部に当接するまで、容器本体２の口部２ａに挿入した後、外蓋１０を上から視た状態で時計回りの方向（閉蓋方向）に９５度回転させると、ロック解除ボタン５１の係合突起５３が係合環部２４の内周面に押されながら、係合環部２４の内周面に沿って移動して係合突起５３が係合凹部２４ｂに係合し、その状態に保持される。なお、蓋体３のパッキン３０及び昇降部材４０を容器本体２の口部２ａに挿入した状態では、パッキン３０と容器本体２の口部２ａとの接触摩擦力が、外蓋１０と内蓋２０との接触摩擦力より大きいため、外蓋１０を回転させたときに内蓋２０が共回りすることがなく、外蓋１０のみが回転することになる。
【００３６】
この状態では、図１１（ｂ）及び図１３に示すように、傾斜段部４３の最低位部分が外蓋１０の凸部１７に掛止され、それに伴って昇降部材４０が最も上昇した状態となっているので、パッキン３０の下端部が当接している昇降部材４０の外フランジ部４５がパッキン３０の下端部を押し上げて膨出部３３を径方向外側に張り出すように扁平状態に弾性変形させ、径方向外側に張り出した扁平状態の膨出部３３が容器本体２の内周段部２ｂに密着することで、容器本体２が液密状態で密封されると共に、閉蓋状態、即ち、蓋体３の容器本体２の口部２ａからの引き抜きが阻止された状態に保持される。
【００３７】
このようにして、容器本体２に装着された蓋体３を取り外すには、ロック解除ボタン５１を押し込んで係合凹部２４ｂに対する係合突起５３の係合を解除して、外蓋１０を上から視た状態で反時計回りの方向（開蓋方向）に９５度回転させると、係合突起５３が係合凹部２４ａに係合し、図１１（ａ）及び図１２に示す状態に戻るので、容器本体２の口部２ａから引き抜くことで、蓋体３を容器本体２から取り外すことができる。
【００３８】
このようにして容器本体２から取り外した、図１２に示す状態の蓋体３から昇降部材４０を取り外すには、図１４に示すように、昇降部材４０を強制的に押し上げて、その上半部を外蓋１０の内筒部１３内に押し込んだ状態で、ロック解除ボタン５１を押し込んで係合凹部２４ａに対する係合突起５３の係合を解除して、外蓋１０を上から視た状態で反時計回りの方向に３５度回転させると、図１５に示すように、係合突起５３が係合凹部２４ｃに係合すると共に外蓋１０の対向一対の凸部１７が昇降部材４０の案内路４４の下部に進入するので、その状態で昇降部材４０を下方側に引き下げると、外蓋１０の対向一対の凸部１７が案内路４４に沿って昇降部材４０の上端側に移動し、図１６に示すように、昇降部材４０を取り外すことができる。
【００３９】
このようにして蓋体３から取り外した昇降部材４０を蓋体３に取り付けるには、昇降部材４０の一対の凸条４２をパッキン３０の内フランジ部３４に形成された切欠部に嵌めながらパッキン３０内に挿入すると、一対の凸条４２が内蓋２０の内筒部２１の内周面に形成された対向一対の縦溝２６に嵌入すると共に、外蓋１０の対向一対の凸部１７が案内路４４の上部に進入するので、パッキン３０の膨出部３３を弾性変形させながら、昇降部材４０をさらに押し込むと、図１５に示すように、一対の凸部１７が案内路４４の下部に進入する。この状態で、ロック解除ボタン５１を押し込んで係合凹部２４ｃに対する係合突起５３の係合を解除して、外蓋１０を上から視た状態で時計回りの方向に３５度回転させると、係合突起５３が係合凹部２４ａに係合すると共に、図１４に示すように、一対の凸部１７が傾斜段部４３の下側の薄肉部に進入するので、昇降部材４０の押込力を解除すると、弾性変形しているパッキン３０の復元力によって昇降部材４０の外フランジ部４５が押し下げられ、昇降部材４０が組み付けられた図１２に示す状態（開蓋状態）の蓋体３に戻る。
【００４０】
以上のように、この飲料容器１は、内蓋２０の内筒部２１に嵌着されたパッキン３０及び内筒部２１に支持された昇降部材４０を容器本体２の口部２ａに嵌入した状態で、外蓋１０を９５度回転させるだけで、昇降部材４０の外フランジ部４５がパッキン３０の下端部を押し上げ、パッキン３０の膨出部３３を弾性変形させて容器本体２０の内周段部２ｂに液密状態で圧着させることで容器本体２の口部２ａを閉塞するので、蓋体を約３６０度回転させなければ、容器本体の口部を完全に閉塞することができない螺合タイプの飲料容器と比べて、蓋体３の開閉に要する回転操作角度が１／３〜１／４となり、蓋体３の開閉操作に手間がかからないと共に、蓋体３の開閉時にパッキン３０が容器本体２の内周段部２ｂを摺動しないので、パッキン３０が摩耗し難く、シール性能が低下し難いという効果が得られる。
【００４１】
また、蓋体３や容器本体２がねじ部分を有していないので、汚れがたまり難く、洗浄に手間がかからないという効果も得られる。
【００４２】
また、この飲料容器１は、内蓋２０の内筒部２１に回り止めされた状態で昇降自在に支持される昇降部材４０の外周面に形成された、周方向の一端から他端に向かって上下方向に傾斜している傾斜段部４３が外蓋１０の内筒部１３の内周面に形成された対向一対の凸部１７に掛止される昇降手段を採用しているので、内蓋２０に対して外蓋１０を回転させると、傾斜段部４３の高低差分だけ内蓋２０に対して昇降部材４０が昇降し、簡単かつコンパクトな構成で昇降部材４０を昇降させることができる。
【００４３】
また、この飲料容器１は、パッキン３０の下部が容器本体２の内周段部２ｂに液密状態で圧着した状態で内蓋２０に対する外蓋３０の回転を規制する、その規制を解除可能なロック手段５０を備えているので、ロック状態では、内蓋２０に対して昇降部材４０が降下すること、即ち、パッキン３０による容器本体２の内周段部２ｂの液密状態が解除されることがなく、容器本体２に充填された飲料の漏れ出しを防止することができる。
【００４４】
また、この飲料容器１は、パッキン３０が内蓋２０の内筒部２１に着脱自在に嵌着されていると共に昇降部材４０が内蓋２０に着脱自在に支持されているので、内蓋２０からパッキン３０と昇降部材４０とを取り外した状態で洗浄することができ、蓋体３の洗浄作業性がよい。
【００４５】
また、この飲料容器１は、パッキン３０が、上端部に径方向外側に張り出す外フランジ部３２を有し、その外フランジ部３２が容器本体２の口部２ａの上端部と内蓋２０の外フランジ部２２の下面との間に液密状態で挟み込まれるようになっているので、閉蓋状態では、容器本体２の内周段部２ｂと容器本体２の口部２ａの上端部の２箇所で液密状態となって密封性能が向上し、容器本体２に充填された飲料の漏れ出しをより確実に防止することができる。
【００４６】
なお、上述した実施形態では、内蓋２０に対する外蓋１０の開閉回転角度（開蓋位置αと閉蓋位置βとのなす角度）が９５度に設定されているが、これに限定されるものではなく、９０度〜１２０度の範囲内で適宜設定すればよい。
【００４７】
また、上述した実施形態では、外蓋１０の内筒部１３に形成された対向一対の凸部１７と、この対向一対の凸部１７に掛止される、昇降部材４０の有底円筒部４１に形成された一対の傾斜段部４３とによって昇降手段を構成しているが、これに限定されるものではなく、外蓋の回転を昇降部材の昇降に変換可能な種々の機構を採用することができる。
【産業上の利用可能性】
【００４８】
本考案は、携帯用魔法瓶や水筒等の携帯用飲料容器等として利用することができる。
【符号の説明】
【００４９】
１  飲料容器
２  容器本体
２ａ  口部
２ｂ  内周段部
３  蓋体
１０  外蓋
１１  天板
１２  外筒部
１３  内筒部
１４  ボタン収容部
１５  薄肉部
１６  凸条
１７  凸部
１８  係止片
２０  内蓋
２１  内筒部
２２  外フランジ部
２３  外筒部
２４  係合環部
２４ａ、２４ｂ、２４ｃ  係合凹部
２５ａ、２５ｂ  規制片
２６  縦溝
２７  凸条
２８  凸条
３０  パッキン
３１ａ  全周厚肉部
３１ｂ  部分厚肉部
３２  外フランジ部
３３  膨出部
３４  内フランジ部
３５  縦溝
４０  昇降部材
４１  有底円筒部
４２  凸条
４３  傾斜段部
４４  案内路
４５  外フランジ部
５０  ロック手段
５１  ロック解除ボタン
５２  押込操作部
５３  係合突起
５４  コイルバネ
α  開蓋位置
β  閉蓋位置
γ  昇降部材の着脱位置
【図１】
0003225434.tif 000003
【図２】
0003225434.tif 000004
【図３】
0003225434.tif 000005
【図４】
0003225434.tif 000006
【図５】
0003225434.tif 000007
【図６】
0003225434.tif 000008
【図７】
0003225434.tif 000009
【図８】
0003225434.tif 000010
【図９】
0003225434.tif 000011
【図１０】
0003225434.tif 000012
【図１１】
0003225434.tif 000013
【図１２】
0003225434.tif 000014
【図１３】
0003225434.tif 000015
【図１４】
0003225434.tif 000016
【図１５】
0003225434.tif 000017
【図１６】
0003225434.tif 000018
【図１７】
0003225434.tif 000019